(57)【特許請求の範囲】
【請求項１】
ブラシ基板（３）に複数のブラシ毛（２）が互いに平行に突設され、掃除プレート（５）に複数のブラシ毛（２）を挿通する複数の貫通孔（１３）が設けられて、掃除プレート（５）はブラシ毛（２）の突出方向に沿ってブラシ基板（３）に対し接離移動自在とされ、掃除プレート（５）の背面に一対の支持体（１６）がブラシ毛（２）と平行に突設され、ブラシ基板（３）に一対の支持体（１６）を挿通する一対の挿通孔（２３）が設けられ、ブラシ基板（３）の背面側に、一対の支持体（１６）の後端部を連結する操作体（２５）が設けられると共に、操作体（２５）をブラシ基板（３）に対して後方に付勢するバネ（２６）が設けられたスリッカーブラシであって、
前記複数の貫通孔（１３）は各ブラシ毛（２）に対応して個々別々に設けられ、前記一対の支持体（１６）は、ブラシ毛（２）を避けるように屈曲された屈曲部（１８）を有し、
前記支持体（１６）を挟むブラシ毛（２）間の間隔を広げて該支持体（１６）の厚みを確保すべく、支持体（１６）を挟む複数のブラシ毛（２）が他の部分のブラシ毛（２）の間隔よりも大きく離間して配置されていることを特徴とするスリッカーブラシ。
【請求項２】
ブラシ基板（３）に複数のブラシ毛（２）が互いに平行に突設され、掃除プレート（５）に複数のブラシ毛（２）を挿通する複数の貫通孔（１３）が設けられて、掃除プレート（５）はブラシ毛（２）の突出方向に沿ってブラシ基板（３）に対し接離移動自在とされ、掃除プレート（５）の背面に一対の支持体（１６）がブラシ毛（２）と平行に突設され、ブラシ基板（３）に一対の支持体（１６）を挿通する一対の挿通孔（２３）が設けられ、ブラシ基板（３）の背面側に、一対の支持体（１６）の後端部を連結する操作体（２５）が設けられると共に、操作体（２５）をブラシ基板（３）に対して後方に付勢するバネ（２６）が設けられたスリッカーブラシであって、
前記複数の貫通孔（１３）は各ブラシ毛（２）に対応して個々別々に設けられ、前記一対の支持体（１６）は、ブラシ毛（２）を避けるように屈曲された屈曲部（１８）を有し、
前記複数のブラシ毛（２）は千鳥状に配置され、一対の支持体（１６）は互いに対向して配置され、一対の支持体（１６）の幅方向中途部に前記屈曲部（１８）がブラシ毛（２）を避けるようにコの字状に屈曲形成されていることを特徴とするスリッカーブラシ。
【請求項３】
前記複数のブラシ毛（２）は千鳥状に配置され、一対の支持体（１６）は互いに対向して配置され、一対の支持体（１６）の幅方向中途部に前記屈曲部（１８）がブラシ毛（２）を避けるようにコの字状に屈曲形成されていることを特徴とする請求項１に記載のスリッカーブラシ。
【請求項４】
ブラシ基板（３）の一端部にグリップ（９）が外方突出されており、前記複数のブラシ毛（２）はブラシ基板（３）からグリップ（９）側に傾斜して突出され、複数のブラシ毛（２）の先端に球体部（１０）が設けられていることを特徴とする請求項１〜３のいずれかに記載のスリッカーブラシ。
【請求項５】
ブラシ基板（３）の背面に、前記掃除プレート（５）がブラシ毛（２）の突出方向に沿ってブラシ基板（３）に対し接離移動するように一対の支持体（１６）をガイドするガイド部材（３９）が設けられていることを特徴とする請求項１〜４のいずれかに記載のスリッカーブラシ。
【発明の詳細な説明】
【技術分野】
【０００１】
本発明は、ブラシ毛に絡み付いた付着物を簡単に除去できるようにしたスリッカーブラシに関するものである。
【背景技術】
【０００２】
スリッカーブラシには、ブラシ基板に複数のブラシ毛が互いに平行に突設され、掃除プレートに複数のブラシ毛を挿通する複数の貫通孔が設けられて、掃除プレートはブラシ毛の突出方向に沿ってブラシ基板に対し接離移動自在とされ、掃除プレートの背面に一対の支持体がブラシ毛と平行に突設され、ブラシ基板に一対の支持体を挿通する一対の挿通孔が設けられ、ブラシ基板の背面側に、一対の支持体の後端部を連結する操作体が設けられると共に、操作体をブラシ基板に対して後方に付勢するバネが設けられたものがある（例えば、特許文献１）。
【０００３】
この種の従来のスリッカーブラシは、一対の支持体が単に板状に形成されていた（例えば、特許文献１）。
【先行技術文献】
【特許文献】
【０００４】
【特許文献１】米国特許出願公開第２００６／０２０７６２３号明細書
【特許文献２】実用新案登録第３０１４８９９号
【発明の概要】
【発明が解決しようとする課題】
【０００５】
従来のスリッカーブラシは、一対の支持体が単に板状に形成されていたため、一対の支持体の剛性が弱くなり、このため掃除プレートのブラシ基板に対するスムーズな接離移動が困難になるおそれがあった。また、一対の支持体の剛性を強くするためにその厚みを厚く形成すれば、ブラシ毛と干渉するようになるため、一対の支持体の近傍のブラシ毛を省略する必要が生じて、スリッカーブラシの外観上の体裁が悪くなるし、そのブラシ機能を損なうことにもなった。
【０００６】
本発明は上記問題点に鑑み、一対の支持体の剛性を強くなし得ると共に、一対の支持体の近傍のブラシ毛を省略しなくて済み、スリッカーブラシの外観上の体裁がよくなり、そのブラシ機能を損なうこともないスリッカーブラシを提供することを目的としている。
【課題を解決するための手段】
【０００７】
本発明における課題解決のための具体的手段は、次の通りである。
この技術的課題を解決する本発明の技術的手段は、ブラシ基板３に複数のブラシ毛２が互いに平行に突設され、掃除プレート５に複数のブラシ毛２を挿通する複数の貫通孔１３が設けられて、掃除プレート５はブラシ毛２の突出方向に沿ってブラシ基板３に対し接離移動自在とされ、掃除プレート５の背面に一対の支持体１６がブラシ毛２と平行に突設され、ブラシ基板３に一対の支持体１６を挿通する一対の挿通孔２３が設けられ、ブラシ基板３の背面側に、一対の支持体１６の後端部を連結する操作体２５が設けられると共に、操作体２５をブラシ基板３に対して後方に付勢するバネ２６が設けられたスリッカーブラシであって、
前記複数の貫通孔１３は各ブラシ毛２に対応して個々別々に設けられ、前記一対の支持体１６は、ブラシ毛２を避けるように屈曲された屈曲部１８を有し、
前記支持体１６を挟むブラシ毛２間の間隔を広げて該支持体１６の厚みを確保すべく、支持体１６を挟む複数のブラシ毛２が他の部分のブラシ毛２の間隔よりも大きく離間して配置されている点にある。
【０００８】
また、本発明の他の技術的手段は、ブラシ基板３に複数のブラシ毛２が互いに平行に突設され、掃除プレート５に複数のブラシ毛２を挿通する複数の貫通孔１３が設けられて、掃除プレート５はブラシ毛２の突出方向に沿ってブラシ基板３に対し接離移動自在とされ、掃除プレート５の背面に一対の支持体１６がブラシ毛２と平行に突設され、ブラシ基板３に一対の支持体１６を挿通する一対の挿通孔２３が設けられ、ブラシ基板３の背面側に、一対の支持体１６の後端部を連結する操作体２５が設けられると共に、操作体２５をブラシ基板３に対して後方に付勢するバネ２６が設けられたスリッカーブラシであって、
前記複数の貫通孔１３は各ブラシ毛２に対応して個々別々に設けられ、前記一対の支持体１６は、ブラシ毛２を避けるように屈曲された屈曲部１８を有し、
前記複数のブラシ毛２は千鳥状に配置され、一対の支持体１６は互いに対向して配置され、一対の支持体１６の幅方向中途部に前記屈曲部１８がブラシ毛２を避けるようにコの字状に屈曲形成されている点にある。
【０００９】
また、本発明の他の技術的手段は、前記複数のブラシ毛２は千鳥状に配置され、一対の支持体１６は互いに対向して配置され、一対の支持体１６の幅方向中途部に前記屈曲部１８がブラシ毛２を避けるようにコの字状に屈曲形成されている点にある。
また、本発明の他の技術的手段は、ブラシ基板３の一端部にグリップ９が外方突出されており、前記複数のブラシ毛２はブラシ基板３からグリップ９側に傾斜して突出され、複数のブラシ毛２の先端に球体部１０が設けられている点にある。
【００１０】
また、本発明の他の技術的手段は、ブラシ基板３の背面に、前記掃除プレート５がブラシ毛２の突出方向に沿ってブラシ基板３に対し接離移動するように一対の支持体１６をガイドするガイド部材３９が設けられている点にある。
【発明の効果】
【００１１】
本発明によれば、一対の支持体は、ブラシ毛を避けるように屈曲された屈曲部を有しているので、屈曲部によって一対の支持体の剛性を効果的に高めることができる。また、屈曲部はブラシ毛を避けるように屈曲されているため、一対の支持体の近傍のブラシ毛を省略しなくて済み、スリッカーブラシの外観上の体裁がよくなると共にそのブラシ機能を損なうこともない。しかも、複数の貫通孔は各ブラシ毛に対応して個々別々に設けられているので、掃除プレートに対して複数の貫通孔は各ブラシ毛に対応して極力小さい孔で済み、複数の貫通孔の形成によって掃除プレートの剛性が必要以上に弱まるのを防止することができる。
【図面の簡単な説明】
【００１２】
【図１】本発明の一実施形態を示すスリッカーブラシを背面側から見た分解斜視図である。
【図２】同スリッカーブラシを正面側から見た分解斜視図である。
【図３】同スリッカーブラシを正面側から見た斜視図である。
【図４】同スリッカーブラシの拡大正面図である。
【図５】同スリッカーブラシの側面断面図である。
【図６】同ブラシ本体の正面図である。
【図７】同ブラシ本体を背面側から見た斜視図である。
【図８】同掃除プレートの正面図である。
【図９】同掃除プレートの底面図である。
【図１０】同掃除プレートの拡大背面図である。
【図１１】同掃除プレート及び操作体の斜視図である。
【発明を実施するための形態】
【００１３】
以下、本発明の実施の形態を図面に基づいて説明する。
図面は本発明の一実施形態を示している。図１〜図５において、犬等の動物用のスリッカーブラシ１は、多数（複数）のブラシ毛２が互いに平行に突設されたブラシ基板３を有するブラシ本体４と、ブラシ毛２の突出方向に沿ってブラシ基板３に対し接離移動自在とされた掃除プレート５とを備える。
【００１４】
図１〜図１０において、ブラシ基板３の幅方向の一端部にグリップ９が外方突出されており、多数のブラシ毛２はブラシ基板３からグリップ９側に傾斜して突出され、多数のブラシ毛２の先端に球体部１０が設けられ、多数のブラシ毛２はブラシ基板３に千鳥状に配置されている。
ブラシ基板３の前面側の外周部に環状の嵌合没部１１が形成され、掃除プレート５の背面側の外周部に環状の嵌合突部１２が形成されており、掃除プレート５は前側からブラシ基板３に対して嵌合没部１１及び嵌合突部１２を介して着脱自在に嵌合されるようになっている。
【００１５】
掃除プレート５に多数のブラシ毛２を挿通する多数の円形の貫通孔１３が設けられ、多数の貫通孔１３は各ブラシ毛２に対応して個々別々に設けられ、各貫通孔１３は掃除プレート５の背面側から前面側に向かうに従って徐々に小径となる截頭円錐状に形成されている。
掃除プレート５の背面に一対の支持体１６がブラシ毛２と平行に後方突設されている。一対の支持体１６は左右方向に互いに対向して配置され、一対の支持体１６の幅方向中途部に屈曲部１８がブラシ毛２を避けるようにコの字状に屈曲形成され、これにより一対の支持体１６の屈曲部１８の内側に円弧状の凹溝１９が対向して形成されている。これら屈曲部１８及び凹溝１９は一対の支持体１６の突出方向全長に亘って形成され、掃除プレート５をブラシ基板３に対して離間移動したときに各凹溝１９内に１本のブラシ毛２ａがそれぞれ挿通配置されるようになっている。
【００１６】
ブラシ基板３に一対の支持体１６を挿通する一対の挿通孔２３が設けられている。一対の挿通孔２３は一対の支持体１６の断面形状に対応する形状に形成されており、中途部がコの字状に屈曲されている。
図４及び図１０に示すように、一対の支持体１６を挟む複数のブラシ毛２ａ（複数の貫通孔１３ａ）が他の部分のブラシ毛２（貫通孔１３）の間隔よりも大きく離間して配置され、支持体１６を挟むブラシ毛２ａ間の間隔を広げて該支持体１６の厚みを十分に確保できるようになっている。
【００１７】
ブラシ基板３の背面側に、一対の支持体１６の後端部を連結する操作体２５が設けられると共に、操作体２５をブラシ基板３に対して後方に付勢するコイルバネ２６が設けられている。コイルバネ２６はその前部がブラシ基板３の背面に後方突設した突出片２７に外嵌され、その後端が操作体２５に接当されており、操作体２５を介してブラシ基板３に対して一対の支持体１６乃至掃除プレート５をブラシ毛２に沿って後方に付勢している。
【００１８】
図１１に示すように、一対の支持体１６の後端部の内側に、係止溝２９が凹溝１９の両側に位置して設けられると共に、係止溝２９から支持体１６後端に向けて拡開傾斜した案内傾斜面３０が設けられている。操作体２５の前面側には一対の支持体１６間に嵌合する嵌合枠３２が設けられ、嵌合枠３２の左右両側に一対の支持体１６の凹溝１９に嵌合する嵌合凸部３４が設けられると共に、各嵌合凸部３４の両側に係止溝２９に係脱自在に係合
する係合突起３５が設けられている。
【００１９】
従って、操作体２５の嵌合枠３２を一対の支持体１６の後端部間に後側から嵌合することにより、一対の嵌合凸部３４が一対の支持体１６の凹溝１９に嵌合すると共に、４つの係合突起３５が案内傾斜面３０に案内されて４つの係止溝２９にそれぞれ係合し、これにより操作体２５が一対の支持体１６の後端部を連結固定するようになっている。
嵌合枠３２内には一対の仕切り壁３６が設けられ、この一対の仕切り壁３６でコイルバネ２６を収納するバネ収納部を嵌合枠３２内に区画形成するようになっている。
【００２０】
図１、図５及び図７に示すように、ブラシ基板３の背面にガイド部材３９が設けられている。このガイド部材３９は左右一対のガイド壁４０とガイド壁４０を連結する連結壁４１とを有し、一対のガイド壁４０間に一対の支持体１６がブラシ毛２の突出方向に前後移動自在に保持されており、掃除プレート５がブラシ毛２の突出方向に沿ってブラシ基板３に対し接離移動するようにガイド部材３９は一対の支持体１６をガイドする。
【００２１】
上記実施形態によれば、スリッカーブラシ１で犬等の動物をブラッシングする場合、グリップ９を把持して犬等の毛並みに沿って手前に引きながらブラッシングすればよく、多数のブラシ毛２はブラシ基板３からグリップ９側に傾斜して突出されているので、犬等の毛を効率よくブラッシングして、抜け毛をしっかり除去することができる。また、このとき、複数のブラシ毛２の先端に球体部１０が設けられているので、犬等の皮膚への当たりが優しくなる。
【００２２】
そして、多数のブラシ毛２に犬の抜け毛が溜まってくると、操作体２５をコイルバネ２６に抗して前方に押圧すればよく、一対の支持体１６はガイド部材３９によってブラシ毛２の突出方向に案内され、掃除プレート５は一対の支持体１６を介して前方に押圧されて、図５に２点鎖線で示す如くブラシ毛２の突出方向に沿ってブラシ基板３に対して前側に離間移動し、ブラシ毛２に絡み付いた犬の抜け毛の毛玉等の付着物を多数のブラシ毛２の先端側に押し出すことができ、毛玉等の付着物をスリッカーブラシ１から簡単に除去することができる。
【００２３】
このとき、一対の支持体１６は、ブラシ毛２を避けるようにコの字状に屈曲された屈曲部１８を有しているので、この屈曲部１８によって一対の支持体１６の剛性を効果的に高めることができ、一対の支持体１６乃至掃除プレート５のガタ付きを防いで掃除プレート５のブラシ基板３に対するスムーズな接離移動が可能になる。また、屈曲部１８はブラシ毛２を避けるように屈曲されているため、一対の支持体１６の近傍のブラシ毛２を省略しなくて済み、スリッカーブラシ１の外観上の体裁がよくなると共にそのブラシ機能を損なうこともない。しかも、多数の貫通孔１３は、従来のように複数のブラシ毛を挿通するスリット状に形成されているのとは異なり、各ブラシ毛２に対応して個々別々に設けられているので、掃除プレート５に対して各ブラシ毛２に対応して極力小さい孔で済み、多数の貫通孔１３の形成によって掃除プレート５の剛性が必要以上に弱まるのを防止することができる。
【００２４】
一対の支持体１６を挟む複数のブラシ毛２ａが他の部分のブラシ毛２の間隔よりも大きく離間して配置され、支持体１６を挟むブラシ毛２ａ間の間隔を広げて該支持体１６の厚みを確保することができ、支持体１６の厚みを極力厚くして一対の支持体１６の剛性を高めることができる。
また、多数のブラシ毛２はブラシ基板３に千鳥状に配置されているので、隣合うブラシ毛２の間隔を広くし、この点からも一対の支持体１６の厚みを厚くして、一対の支持体１６の剛性を高めることができる。
【００２５】
なお、前記実施の形態では、一対の支持体１６の幅方向中途部に屈曲部１８がブラシ毛２を避けるようにコの字状に屈曲形成されているが、これに代え、支持体１６の屈曲部１８は支持体１６の幅方向の両端部等にブラシ毛２を避けるようにＬ字状その他に屈曲したものであってもよい。
また、前記実施の形態では、多数のブラシ毛２はブラシ基板３に縦横に格子状その他に配置されていてもよい。
【符号の説明】
【００２６】
１      スリッカーブラシ
２      ブラシ毛
３      ブラシ基板
５      掃除プレート
９      グリップ
１０    球体部
１３    貫通孔
１６    支持体
１８    屈曲部
２３    挿通孔
２５    操作体
２６    コイルバネ
３９    ガイド部材
【図１】
0005762136.tif 000002
【図２】
0005762136.tif 000003
【図３】
0005762136.tif 000004
【図４】
0005762136.tif 000005
【図５】
0005762136.tif 000006
【図６】
0005762136.tif 000007
【図７】
0005762136.tif 000008
【図８】
0005762136.tif 000009
【図９】
0005762136.tif 000010
【図１０】
0005762136.tif 000011
【図１１】
0005762136.tif 000012